(57)【要約】【課題】  透明ケース上の水抜き穴の装備位置を変えずとも、任意の設置向きで十分な防水性能を発揮できる電飾用照明装置を得る。【解決手段】  略一直線状の発光部１３を収容する筒状の透明ケース１５は、発光部１３を収容した筒状体の各端部寄りの外周面上の対向する二位置にそれぞれ内外を連通させる水抜き穴１９を装備したケース本体５１と、前記水抜き穴１９に対向して配置される正面防滴壁２１ａによって水抜き穴１９の正面を覆って該水抜き穴１９の外部への連通を屈曲路に形成する防滴カバー２１とを備える。【選択図】      図１
2006031953.tif 000002
【特許請求の範囲】
【請求項１】
略一直線状の発光部と、この発光部を収容する筒状の透明ケースとを備えて、屋外に設置される電飾用照明装置であって、
前記透明ケースが、前記発光部を収容した筒状体の各端部寄りの外周面上の対向する二位置にそれぞれ内外を連通させる水抜き穴を装備したケース本体と、前記水抜き穴に対向して配置される正面防滴壁によって前記水抜き穴の正面を覆って前記水抜き穴の外部への連通を屈曲路に形成する防滴カバーとを備えたことを特徴とする電飾用照明装置。
【請求項２】
前記水抜き穴の周縁に、前記正面防滴壁に向かって隆起した周壁を備えたことを特徴とする請求項１に記載の電飾用照明装置。
【請求項３】
前記防滴カバーを、前記ケース本体の端部カバーに一体形成したことを特徴とする請求項１又は２に記載の電飾用照明装置。
【請求項４】
前記水抜き穴には可撓性を有した排水チューブを外部に突出して接合し、この排水チューブの先端には先端排水口を鉛直下方に向ける重りを装備したことを特徴とする請求項１乃至３のいずれか一項に記載の電飾用照明装置。
【発明の詳細な説明】
【技術分野】
【０００１】
本発明は、略一直線状に形成された発光部と、この発光部を収容する筒状の透明ケースとを備えて、屋外に設置される電飾用照明装置に関し、特に、設置向きに拘わらず壁面等に設置することができて、内部に浸入してしまった水を速やかに外部に排出可能にするための改良に関する。
【背景技術】
【０００２】
図１０（ａ）は、屋外に設置される電飾用照明装置の従来例を示したものである。
この電飾用照明装置１は、略一直線状の発光部３と、この発光部３を収容する筒状の透明ケース５と、透明ケース５を周囲の構造物等に固定するための取付金具７とを備えたもので、発光部３の点灯又は点滅によって、装飾的な表現を行う。図の破線Ｂは、発光部３の出射する光を示している。
発光部３は、発光ＬＥＤ素子、直管形蛍光灯、ネオン管等の発光体を直線状に配列したものである。
透明ケース５は、雨水等が内部に浸入しないように、例えば端壁５ａとの接合部等にパッキンを挿入するなど、防水処置が施される。
【０００３】
ところで、屋外に設置される電飾用照明装置では、雨水等が直接浸入しなくても、周囲の温度変化による結露によって、透明ケース５内に水滴が発生する場合がある。また、当初は良好な防水性能を維持できていても、いずれ、経年変化による接合部の老化等で透明ケース５の防水性能が低下して、内部に雨水等が浸入してしまう虞がある。また、発光部３が発熱し易い場合には、発熱を外部に逃がす排気孔を装備する必要もある。
【０００４】
そこで、従来では、透明ケース５内に浸入した水の速やかな排出と、排熱のための通気を兼ねて、図１０（ｂ）に示すように、透明ケース５の下面に水抜き穴９を設ける技術が普及している（例えば、特許文献１参照）。
【０００５】
【特許文献１】実開昭５６−１６１７０２号公報
【発明の開示】
【発明が解決しようとする課題】
【０００６】
ところが、このように、透明ケース５の下面に単純に水抜き穴９を形成しただけの構造では、電飾用照明装置１を天地逆向きに取り付けた場合に、水抜き穴９が上面に露出して、雨水等の浸入が防止できないばかりか、浸入した水の排水ができなくなる。
即ち、従来の水抜き穴９の装備形態では、電飾用照明装置１は予め想定した一通りの設置向きでしか、十分な防水性能を発揮できず、設置向きの自由度がないという問題があった。
多様な設置向きに対応するためには、水抜き穴９の装備位置を変えた多種の透明ケースを製造しなければならず、透明ケース５が多種小量生産化して、部品管理に大きな負担がかかると同時に、コストアップを招くという問題があった。
【０００７】
そこで、本発明の目的は上記課題を解消することにあり、透明ケース上の水抜き穴の装備位置を変えずとも、任意の設置向きで十分な防水性能を発揮でき、従って、設置向きの自由度が高く、しかも、透明ケースの少種大量生産化によって、製造コストの低減、部品管理にかかる負担の軽減を実現することができる電飾用照明装置を提供することにある。
【課題を解決するための手段】
【０００８】
上記目的は下記構成により達成される。
（１）  略一直線状の発光部と、この発光部を収容する筒状の透明ケースとを備えて、屋外に設置される電飾用照明装置であって、
前記透明ケースが、前記発光部を収容した筒状体の各端部寄りの外周面上の対向する二位置にそれぞれ内外を連通させる水抜き穴を装備したケース本体と、前記水抜き穴に対向して配置される正面防滴壁によって前記水抜き穴の正面を覆って前記水抜き穴の外部への連通を屈曲路に形成する防滴カバーとを備えたことを特徴とする電飾用照明装置。
【０００９】
（２）  上記（１）において、前記水抜き穴の周縁に、前記正面防滴壁に向かって隆起した周壁を備えたことを特徴とする電飾用照明装置。
【００１０】
（３）  上記（１）又は（２）において、前記防滴カバーを、前記ケース本体の端部カバーに一体形成したことを特徴とする電飾用照明装置。
【００１１】
（４）  上記（１）乃至（３）のいずれか一つにおいて、前記水抜き穴には可撓性を有した排水チューブを外部に突出して接合し、この排水チューブの先端には先端排水口を鉛直下方に向ける重りを装備したことを特徴とする電飾用照明装置。
【発明の効果】
【００１２】
上記（１）に記載の電飾用照明装置では、透明ケースの両端付近の外周部の対向する二位置に、それぞれ水抜き穴を装備したもので、電飾用照明装置を横向き及び縦向きのいずれの向きで設置した場合にも、或いは上下逆向きに設置した場合にも、常に、設置された状態で下方位置に二つの水抜き穴が存在して、これらの二つの水抜き穴が透明ケース内に浸入した水の排出に有効に働く。
しかも、各水抜き穴は、いずれも防滴カバーの正面防滴壁によって正面が覆われていて、外部に直接露出しないため、上方や側方に向いている水抜き穴に雨水等が浸入することを防止して、良好な防水性を維持できる。
即ち、透明ケース上の水抜き穴の装備位置を変えずとも、任意の設置向きで十分な防水性能及び排水性能を発揮でき、従って、電飾用照明装置の設置向きの自由度が高く、しかも、透明ケースの少種大量生産化によって、製造コストの低減、部品管理にかかる負担の軽減を実現することができる。
【００１３】
上記（２）に記載の電飾用照明装置では、水抜き穴の周縁に隆起する周壁が、透明ケースの外周面を伝って水抜き穴側に流れる水滴を堰き止めて、水抜き穴への水滴の浸入を一層困難にするため、防水性能が更に向上する。
【００１４】
上記（３）に記載の電飾用照明装置では、防滴カバーをケース本体と別体に形成する場合と比較して、電飾用照明装置の構成部品点数を低減させて、組立性の向上、コストの低減を図ることができる。
【００１５】
上記（４）に記載の電飾用照明装置では、装備されている全ての水抜き穴は、該水抜き穴に接続された排水チューブ６１の重力によるしなりによって、下向きの開口となり、更に、排水チューブ６１の長さ分だけ、外部から水抜き穴に到達するまでの経路が長くなる結果、外部から水抜き穴への水滴の浸入が一層困難になり、より高い防水性能を発揮することが可能になる。
【発明を実施するための最良の形態】
【００１６】
以下、本発明に係る電飾用照明装置の好適な実施の形態について、図面を参照して詳細に説明する。
図１乃至図３は本発明に係る電飾用照明装置の第１の実施の形態を示したもので、図１は本発明の第１の実施の形態の電飾用照明装置の上面側からの斜視図、図２は図１のＡ−Ａ線に沿う断面図、図３は図１に示したケース本体の縦断面図である。
【００１７】
この第１の実施の形態の電飾用照明装置１１は、略一直線状の発光部１３と、この発光部１３を収容する筒状の透明ケース１５と、透明ケース１５を周囲の構造物１６等に固定するための取付金具１７と、透明ケース１５に装備される水抜き穴１９（図３参照）の周囲を覆う防滴カバー２１とを備えたもので、発光部１３の点灯又は点滅によって、装飾的な表現を行う。
【００１８】
本実施の形態の場合、発光部１３は、図２に示すように、基板押え３１に支持されたプリント回路基板３３上に所定ピッチで一直線状に複数個の発光ＬＥＤ素子３５を配列し、更に一直線状に配列された発光ＬＥＤ素子３５の上を拡散レンズ３７で覆うことで、直線状の発光が得られるようにしている。
また、発光部１３は、取付金具１７及び透明ケース１５を貫通するねじ部材３９が基板押え３１に螺合することで、透明ケース１５の内周面に固定される。
電飾用照明装置１１は屋外に設置することを前提としているため、基板押え３１と透明ケース１５との間の隙間４２には、ねじ部材３９が貫通する透明ケース１５上の孔から外部の水滴等が浸入しないように、防水用のパッキン４３が充填装着されている。
【００１９】
透明ケース１５は、図３に示すように、両端を開放した円筒状に形成されて発光部１３を収容するケース本体５１と、このケース本体５１の両端を塞ぐ端部カバー５３と、端部カバー５３に近接してケース本体５１の各端部寄りに形成された水抜き穴１９を覆う防滴カバー２１から構成されている。
【００２０】
端部カバー５３は、ケース本体５１の端部の開口を塞ぐ円板部５３ａの周囲に、ケース本体５１の端部に外嵌する筒状部５３ｂを一体形成した構成である。
ケース本体５１と端部カバー５３との嵌合部には、嵌合部から透明ケース１５内に雨水等が浸入しないように、適宜材質のシール材又はパッキンによる防水処置が施される。
【００２１】
ケース本体５１は、各端部寄りの外周面上の上下に対向する二位置のそれぞれに、内外を連通させる水抜き穴１９が貫通形成されている。
【００２２】
そして、防滴カバー２１は、図３に示すように、水抜き穴１９に対向して配置されて水抜き穴１９の正面を覆う正面防滴壁２１ａと、この正面防滴壁２１ａの外周からケース本体５１の外周面に向かって延出する筒状防滴壁２１ｂとを有したキャップ状で、筒状防滴壁２１ｂに内外を連通させる連通孔２１ｃが貫通形成されている。
この防滴カバー２１は、水抜き穴１９を覆うようにケース本体５１の外周に取り付けられて、水抜き穴１９の外部への連通を屈曲路に形成している。
【００２３】
また、本実施の形態の場合、ケース本体５１の水抜き穴１９の周縁には、正面防滴壁２１ａに向かって隆起した円筒状の周壁５１ａを備えている。
【００２４】
以上に説明した電飾用照明装置１１では、透明ケース１５の両端付近の外周部の対向する二位置に、それぞれ水抜き穴１９を装備したもので、電飾用照明装置１１を横向き及び縦向きのいずれの向きで設置した場合にも、或いは上下逆向きに設置した場合にも、常に、設置された状態で下方位置に二つの水抜き穴１９が存在して、これらの二つの水抜き穴１９が透明ケース１５内に浸入した水の排出に有効に働く。
図３において、下部の二つの水抜き穴１９に付記した矢印は、水抜き穴１９からの排水経路を示している。
【００２５】
しかも、各水抜き穴１９は、いずれも防滴カバー２１の正面防滴壁２１ａによって正面が覆われていて、外部に直接露出しないため、上方や側方に向いている水抜き穴１９に雨水等が浸入することを防止して、良好な防水性を維持できる。
【００２６】
即ち、透明ケース１５上の水抜き穴１９の装備位置を変えずとも、電飾用照明装置１１の任意の設置向きで十分な防水性能及び排水性能が発揮でき、従って、設置向きの自由度が高く、しかも、透明ケース１５の少種大量生産化によって、製造コストの低減、部品管理にかかる負担の軽減を実現することができる。
【００２７】
更に、本実施の形態の電飾用照明装置１１では、水抜き穴１９の周縁に隆起する円筒状の周壁５１ａが、透明ケース１５の外周面を伝って水抜き穴１９側に流れる水滴を堰き止めて、水抜き穴１９への水滴の浸入を一層困難にするため、防水性能が更に向上する。
【００２８】
図４は、本発明に係る電飾用照明装置の第２の実施の形態における透明ケースの要部の縦断面図である。
この第２の実施の形態の透明ケース１１５は、第１の実施の形態に示した透明ケース１５の一部を改良したもので、第１の実施の形態と共通の部分又は相当する部分には、同番号を付して説明を省略する。
この第２の実施の形態における改良点は、防滴カバー２１に装備した筒状防滴壁２１ｂの先端が、円筒状のケース本体５１の外周面に液密に接着されていて、筒状防滴壁２１ｂがケース本体５１の外周面を伝い流れる水滴を堰き止める機能を発揮するため、第１の実施の形態に示した円筒状の周壁５１ａを省略した点である。
【００２９】
図５は、本発明に係る電飾用照明装置の第３の実施の形態における透明ケースの要部の縦断面図である。
この第３の実施の形態の透明ケース２１５も、第１の実施の形態に示した透明ケース１５の一部を改良したもので、第１の実施の形態と共通の部分又は相当する部分には、同番号を付して説明を省略する。
この第３の実施の形態における改良点は、円筒状のケース本体５１の端部を覆う端部カバー５３に、防滴カバー２１を一体形成した点である。
【００３０】
このように防滴カバー２１を端部カバー５３に一体化すると、防滴カバー２１をケース本体５１と別体に形成する場合と比較して、電飾用照明装置の構成部品点数を低減させて、組立性の向上、コストの低減を図ることができる。
【００３１】
図６は、本発明に係る電飾用照明装置の第４の実施の形態を示したもので、（ａ）は電飾用照明装置の設置向きが標準の場合の斜視図、（ｂ）は上下逆向きに設置した場合の斜視図、（ｃ）は９０度回転させて縦置きに設置した場合の斜視図である。
この第４の実施の形態の電飾用照明装置１１１は、第１の実施の形態に示した透明ケース１５の一部を改良したもので、第１の実施の形態と共通の部分又は相当する部分には、同番号を付して説明を省略する。
この第４の実施の形態における透明ケース３１５では、円筒状のケース本体５１に形成した各水抜き穴１９に、可撓性を有した排水チューブ６１を外部に突出して接合し、この排水チューブ６１の先端にはチューブ先端の排水口を鉛直下方に向ける重り６３を装備している。
重り６３は、排水チューブ６１の先端に外嵌する単純な筒状でも良いが、上記実施例の防滴カバー２１のような構造にしても良い。
【００３２】
この第４の実施の形態の電飾用照明装置１１１では、装備されている全ての水抜き穴１９は、図示のように、該水抜き穴１９に接続された排水チューブ６１の重力によるしなりによって、下向きの開口となり、更に、排水チューブ６１の長さ分だけ、外部から水抜き穴１９に到達するまでの経路が長くなる結果、外部から水抜き穴１９への水滴の浸入が一層困難になり、より高い防水性能を発揮することが可能になる。
【００３３】
図７は、本発明に係る電飾用照明装置の第５の実施の形態の斜視図である。
この第５の実施の形態の電飾用照明装置２１１は、図６に示した第４の実施の形態の電飾用照明装置１１１の一部を改良したもので、第４の実施の形態と共通の部分又は相当する部分には、同番号を付して説明を省略する。
この第５の実施の形態の電飾用照明装置２１１は、透明ケース３１５の両端に、排水チューブ６１及び重り６３を収容する外筒６５を装備したものである。
外筒６５は、透明ケース３１５の周囲に、排水チューブ６１が可撓変位する空間を確保している。
この外筒６５の装備によって、排水チューブ６１が垂れ下がる姿が外部に露出することがなくなり、意匠性が向上する。
【００３４】
図８は、本発明に係る電飾用照明装置の第６の実施の形態を示したもので、（ａ）は斜め上方から見た斜視図、（ｂ）は斜め下方から見た斜視図である。
この第６の実施の形態の電飾用照明装置３１１は、発光部を収容する２本の透明ケース４１５が、取付金具１１７を介して並列して、図示せぬ上部構造物から吊り下げられて設置された場合を示している。
【００３５】
透明ケース４１５は、断面形状が略Ｕ字状を成したケース本体５１の両端を、端部カバー５３によって塞いだ構造である。ケース本体５１の両端寄りの外周部の上下に対向する二位置に水抜き穴が装備され、各水抜き穴に防滴カバー２１が装備される点は、第１の実施の形態の透明ケース１５と同様である。
【００３６】
取付金具１１７は、一対の透明ケース４１５を背中合わせに接続する連結金具７１と、下端が連結金具７１に結合されると共に上端が図示せぬ上部構造物に連結される吊り棒７３とから構成されている。
【００３７】
ケース本体５１の内部に収容される発光部１３は、図９に示すように、基板押え３１に支持されたプリント回路基板３３上に所定ピッチで一直線状に複数個の発光ＬＥＤ素子３５を配列し、更に一直線状に配列された発光ＬＥＤ素子３５の上を拡散レンズ３７で覆うことで、直線状の発光が得られるようにしている。
発光部１３は、連結金具７１及びケース本体５１を貫通するねじ部材３９が基板押え３１に螺合することで、ケース本体５１の内の所定位置に固定される。
【００３８】
なお、本発明に係る発光部は、上記実施の形態のように、発光ＬＥＤ素子を直線状に配列したものに限らない。例えば、直管形蛍光灯、ネオン管等の発光体によって、直線状の発光を得るようにしても良い。
【図面の簡単な説明】
【００３９】
【図１】本発明に係る電飾用照明装置の第１の実施の形態の上面側からの斜視図である。
【図２】図１のＡ−Ａ線に沿う断面図である。
【図３】図１に示したケース本体の縦断面図である。
【図４】本発明に係る電飾用照明装置の第２の実施の形態のケース本体の要部の縦断面図である。
【図５】本発明に係る電飾用照明装置の第３の実施の形態のケース本体の要部の縦断面図である。
【図６】本発明に係る電飾用照明装置の第４の実施の形態の説明図で、（ａ）は設置向きが標準の場合の斜視図、（ｂ）は上下逆向きに設置した場合の斜視図、（ｃ）は９０度回転させて縦置きに設置した場合の斜視図である。
【図７】本発明に係る電飾用照明装置の第５の実施の形態の斜視図である。
【図８】本発明に係る電飾用照明装置の第６の実施の形態の説明図で、（ａ）は斜め上方から見た斜視図、（ｂ）は斜め下方から見た斜視図である。
【図９】図８（ａ）のＢ−Ｂ線に沿う断面図である。
【図１０】従来の電飾用照明装置の説明図で、（ａ）は左側方からの斜視図、（ｂ）は下面側からの斜視図である。
【符号の説明】
【００４０】
１１  電飾用照明装置
１３  発光部
１５  透明ケース
１７  取付金具
１９  水抜き穴
２１  防滴カバー
２１ａ  正面防滴壁
２１ｂ  筒状防滴壁
２１ｃ  連通孔
３１  基板押え
３３  プリント回路基板
３５  発光ＬＥＤ素子
３７  拡散レンズ
５１  ケース本体
５１ａ  周壁
５３  端部カバー
５３ａ  円板部
５３ｂ  筒状部
６１  排水チューブ
６３  重り
６５  外筒
１１１，２１１，３１１  電飾用照明装置
１１５，２１５，３１５，４１５  透明ケース
【図１】
2006031953.tif 000003
【図２】
2006031953.tif 000004
【図３】
2006031953.tif 000005
【図４】
2006031953.tif 000006
【図５】
2006031953.tif 000007
【図６】
2006031953.tif 000008
【図７】
2006031953.tif 000009
【図８】
2006031953.tif 000010
【図９】
2006031953.tif 000011
【図１０】
2006031953.tif 000012